(57)【要約】【課題】容易に持ち運びおよび設置が可能で、収納場所も小さなベーゴマ用床台を提供する。【解決手段】ベーゴマを回すためのベーゴマ用床台１００は、床面１１０と、床面１１０の外周を４点で着脱自在に固定する床面固定部１２０と、床面固定部１２０を支持する４本の柱状部材１３０と、柱状部材１３０の２本以上を折り畳み可能に結合するジョイント部１４０と、を備える。ベーゴマ用床台１００を使わないときには床面１１０を外すことができるとともに、床面１１０を固定する床面固定部１２０を支持する柱状部材１３０が折り畳み可能であることによって、コンパクトにすることができる。このようにして、容易に持ち運びおよび設置（セットアップ）できるとともに、収納場所も小さくすることが可能である。【選択図】図１
2018000567.tif 000002
【特許請求の範囲】
【請求項１】
ベーゴマを回すためのベーゴマ用床台であって、
床面と、
前記床面の外周を３点以上で着脱自在に固定する床面固定部と、
前記床面固定部を支持する複数の柱状部材と、
前記柱状部材の２本以上を折り畳み可能に結合する１又は２以上のジョイント部と、
を備えたことを特徴とする、ベーゴマ用床台。
【請求項２】
前記床面が前記床面固定部に対して移動することにより、前記床面の張りの強さが調整されることを特徴とする、請求項１に記載のベーゴマ用床台。
【請求項３】
前記床面の裏面に、円形又は多角形の補強シートを直径寸法又は対辺寸法が段階的に小さくなるように同心状に多層に貼り付けたことを特徴とする、請求項１又は２に記載のベーゴマ用床台。
【請求項４】
前記床面の裏面に、円形又は多角形の外周部が薄く中心部に向かって徐々に厚くなるゴム製又は軟質プラスチック製の皿状補強材を貼り付けたことを特徴とする、請求項１又は２に記載のベーゴマ用床台。
【請求項５】
前記床面に、下方への負荷を設けたことを特徴とする、請求項１〜４のいずれかに記載のベーゴマ用床台。
【請求項６】
前記床面は、布、紙、金属又は硬質プラスチックで構成されることを特徴とする、請求項１に記載のベーゴマ用床台。
【請求項７】
前記ジョイント部は、前記柱状部材間の開き角を変えることにより、前記床面の地面からの高さを調整できることを特徴とする、請求項１〜６のいずれかに記載のベーゴマ用床台。
【請求項８】
前記床面の表面に、テフロンコーティング又は潤滑剤含有処理を施したことを特徴とする、請求項１〜７のいずれかに記載のベーゴマ用床台。
【請求項９】
前記床面の前記テフロンコーティング又は潤滑剤含有処理を施した部分の色を、前記床面のその他の部分と異なる色としたことを特徴とする、請求項８に記載のベーゴマ用床台。
【請求項１０】
前記ジョイント部は、筐体状のジョイントハウジング内に収容されることを特徴とする、請求項１〜９のいずれかに記載のベーゴマ用床台。
【請求項１１】
前記床面の周囲に、前記床面から飛び出したベーゴマを受けるためのポケットを設けたことを特徴とする、請求項１〜１０のいずれかに記載のベーゴマ用床台。
【発明の詳細な説明】
【技術分野】
【０００１】
本発明は、ベーゴマを回すためのベーゴマ用床台に関する。
【背景技術】
【０００２】
ベーゴマ（貝独楽、べいごま、ばいごまとも称される）は、小さな独楽（こま）の一種であり、大正時代頃から高度経済成長期にかけて、日本の子供たちの遊びに盛んに用いられた。従来のベーゴマを回すための床台（とこだい）は、味噌樽やポリバケツなどの円形の開口部に所定の大きさに切ったキャンバスシートや布やビニールを被せ、ゴム紐などを巻いて開口部に固定して製作するものであった。
【先行技術文献】
【非特許文献】
【０００３】
【非特許文献１】インターネット＜ＵＲＬ：https://ja.wikipedia.org/wiki/%E3%83%99%E3%83%BC%E3%82%B4%E3%83%9E＞
【発明の概要】
【発明が解決しようとする課題】
【０００４】
しかしながら、従来のベーゴマ用床台は、上記のような構成であるため、非常に大きく、例えば直径が５０ｃｍほどで高さも５０ｃｍほどの大きさのものもある。このため、従来のベーゴマ用床台は、持ち運びしにくく、収納場所も広いスペースを必要とするものであった。
【０００５】
そこで本発明は、このような問題に鑑みてなされたものであり、その目的とするところは、容易に持ち運びおよび設置が可能で、収納場所も小さなベーゴマ用床台を提供することにある。
【課題を解決するための手段】
【０００６】
上記課題を解決するために、本発明によれば、ベーゴマを回すためのベーゴマ用床台であって、床面と、前記床面の外周を３本以上で着脱自在に固定する床面固定部と、前記床面固定部を支持する複数の柱状部材と、前記柱状部材の２本以上を折り畳み可能に結合する１又は２以上のジョイント部と、を備えたことを特徴とする、ベーゴマ用床台が提供される。なお、床面が着脱自在であるとは、床面を破壊などすることなく、繰り返し容易に着脱できることを意味し、常識の範囲で着脱自在とされる構成をいう。
【０００７】
かかる構成によれば、ベーゴマ用床台を使わないときには床面を外すことができるとともに、床面を固定する床面固定部を支持する柱状部材が折り畳み可能であることによって、コンパクトにすることができる。このようにして、容易に持ち運びおよび設置（セットアップ）できるとともに、収納場所も小さくすることが可能である。
【０００８】
本発明は以下のようなさまざまな応用が可能である。以下に説明する本発明の応用例は、適宜組み合わせることが可能である。
【０００９】
例えば、前記床面が前記床面固定部に対して移動することにより、前記床面の張りの強さが調整されるようにしてもよい。かかる構成によれば、床面の張りの強さを調整することにより、床面の窪みの深さを最適化することができる。このため、床面の円形の周囲部に皺や弛みが発生するのを防止できる。また、深さの微調整も容易である。なお、張り調整部の具体例としては、ホック止め用の突起や窪み、ネジ止め用のネジ溝やネジ山、又は床材を挟み込む挟み部など、任意の構成を採用することができる。
【００１０】
また、前記床面の裏面に、円形又は多角形の補強シートを直径寸法又は対辺寸法が段階的に小さくなるように同心状に多層に貼り付けるようにしてもよい。また、前記床面の裏面に、円形又は多角形の外周部が薄く中心部に向かって徐々に厚くなるゴム製又は軟質プラスチック製の皿状補強材を貼り付けるようにしてもよい。かかる構成によれば、バトルエリアが明確になるとともに、床面を強化することができる。
【００１１】
また、前記床面に、下方への負荷を設けるようにしてもよい。かかる構成によれば、下方への負荷（例えば、バネやゴム紐や錘など）により床面を下方へ引っ張って、床面の中央部を緩いすり鉢状にへこませることができる。下方への負荷は、例えば、円形又は多角形の補強シートの中央部分に設けることができる。
【００１２】
また、前記床面は、布、紙、金属又は硬質プラスチックで構成されるようにしてもよい。床面として金属（例えば、ステンレス、アルミニウム等の加工の容易な金属）又は硬質プラスチックを採用すれば、ベーゴマ用床台をベーゴマの回転持続時間を競うタイムトライアル用として用いることができ、その際に、ベーゴマの回転の接点（円錐部頂点）と床面との摩擦抵抗に個体差がなく均一の条件となるようにすることができる。本発明では、床面を交換することができるので、このような用い方が可能である。
【００１３】
また、前記ジョイント部は、前記柱状部材間の開き角を変えることにより、前記床面の地面からの高さを調整できるようにしてもよい。柱状部材の開き角を変える方法としては、例えば、ジョイント部の取り付け位置をずらすようにしてもよい。かかる構成によれば、床面の地面からの高さを調整することができ、一つのベーゴマ用床台の利用範囲が拡大する。
【００１４】
また、前記床面の表面に、テフロンコーティング又は潤滑剤含有処理を施してもよい。かかる構成によれば、ベーゴマが滑らかに移動でき、ベーゴマの長時間回転を持続できる。特に、バトルエリア部分にテフロンコーティング又は潤滑剤含有処理を施すと効果的である。
【００１５】
また、前記床面の前記テフロンコーティング又は潤滑剤含有処理を施した部分の色を、前記床面のその他の部分と異なる色としてもよい。かかる構成によれば、テフロンコーティング又は潤滑剤含有処理を施した部分を容易に区別できる。特に、バトルエリアの部分にテフロンコーティング又は潤滑剤含有処理を施した場合は、バトルエリアを際立たせることができる。
【００１６】
また、前記ジョイント部は、筐体状（箱状）のジョイントハウジング内に収容されるようにしてもよい。かかる構成によれば、ベーゴマ用床台の設置のために操作する箇所をジョイントハウジングにまとめられるので、操作性に優れ、外観もよい。また特に、下方への負荷（例えば、バネやゴム紐や錘など）により床面を下方へ引っ張る構成を採用したときには、その下方への負荷もジョイントハウジング内に収容することができる。
【００１７】
また、前記床面の周囲に、前記床面から飛び出した（離脱した）ベーゴマを受けるためのポケットを設けるようにしてもよい。ベーゴマ競技においてベーゴマが対戦相手に弾き飛ばされて競技会場の床や地面に落ちると、ベーゴマの円錐部頂点が損傷してスムーズに回転しなくなるおそれがある。この点、床面の周囲にポケットを設けることによって、弾き飛ばされたベーゴマが落下するおそれを低減することができる。
【発明の効果】
【００１８】
本発明によれば、容易に持ち運びおよび設置が可能で、収納場所も小さなベーゴマ用床台を提供することが可能である。本発明のその他の効果については、以下の発明を実施するための形態の項でも説明する。
【図面の簡単な説明】
【００１９】
【図１】（第１の実施形態）ベーゴマ用床台１００の全体構成を示す図である。
【図２】床面１１０の構成を示す図であり、（ａ）は斜視図であり、（ｂ）は側面図である。
【図３】床面固定部１２０の構成を示す図であり、（ａ）は斜視図であり、（ｂ）は断面図である。
【図４】（第２の実施形態）ベーゴマ用床台２００の全体構成を示す図である。
【図５】ベーゴマ用床台２００の側面図であり、（ａ）は全体構成を示す図であり、（ｂ）は部分拡大図である。
【図６】（第３の実施形態）ベーゴマ用床台３００の全体構成を示す図である。
【図７】（第４の実施形態）ベーゴマ用床台４００の全体構成を示す図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
（第１の実施形態）
第１の実施形態にかかるベーゴマ用床台１００について、図１〜図３を参照しながら説明する。図１はベーゴマ用床台１００の全体構成を示す図である。図２は床面１１０の構成を示す図であり、（ａ）は斜視図であり、（ｂ）は側面図である。図３は床面固定部１２０の構成を示す図であり、（ａ）は斜視図であり、（ｂ）は断面図である。
【００２２】
ベーゴマを回すためのベーゴマ用床台１００は、図１に示したように、床面１１０と、床面１１０の外周を４点で着脱自在に固定する床面固定部１２０と、床面固定部１２０を支持する柱状部材１３０と、柱状部材１３０の２本を折り畳み可能に結合するジョイント部１４０と、を主に備えたことを特徴とする。
【００２３】
以下、ベーゴマ用床台１００の各構成要素について、詳細に説明する。
【００２４】
（床面１１０）
床面１１０は、ベーゴマが回る土俵であり、図１に示したように、矩形である。床面１１０は帆布などの布で構成されており、四辺の周囲が、補強のために適当な幅で２重に折り返されている。床面１１０の摩擦係数や硬度などは、ベーゴマ用床台１００の用途等に応じて、適切なものを用いることができる。
【００２５】
床面１１０の中央部には、図１及び図２に示したように、バトルエリア１１０ａが設けられている。バトルエリア１１０ａの裏面には、図２に示したように、３枚の円形又は多角形の補強シート１１２（１１２−１、１１２−２、１１２−３）が直径寸法又は対辺寸法が段階的に小さくなるように同心状に多層に貼り付けられている。かかる構成によれば、バトルエリア１１０ａが明確になるとともに、床面１１０を強化することができる。なお、床面１１０の強化のために、バトルエリア１１０ａ以外の部分にも補強シートを貼り付けてもよい。
【００２６】
また、床面１１０の中央部には、下方への負荷が設けられている。本実施形態では、下方への負荷として、図２に示したように、床面１１０の中央部の裏面にバネ１１４を介して錘１１６が吊り下げられている。図２に示した一例では、バネ１１４及び錘１１６は、中央の補強シート１１２−３の部分に取り付けられている係止部１１８にバネ１１４の上端が係止されて取り付けられている。また、錘１１６の下部にはフック１１９が設けられている。このフック１１９には、他の錘を吊り下げたり、あるいは、フック１１９を床や地面などに設置した部材に引っ掛けて、錘１１６の位置を固定したりすることができる。
【００２７】
このようにして、バネ１１４及び錘１１６が床面１１０を下方に引っ張って、床面１１０の中央部を緩いすり鉢状にへこませることができる。よって、バトルエリア１１０ａにベーゴマが移動しやすくなる。
【００２８】
また、床面１１０の表面には、テフロンコーティング又は潤滑剤含有処理が施されている。かかる構成によれば、ベーゴマが滑らかに移動でき、ベーゴマの長時間回転を持続できる。特に、バトルエリア１１０ａの部分にテフロンコーティング又は潤滑剤含有処理を施すと効果的である。
【００２９】
さらに、床面１１０の表面は、テフロンコーティング又は潤滑剤含有処理を施した部分の色がその他の部分と異なる色とされている。かかる構成によれば、テフロンコーティング又は潤滑剤含有処理を施した部分を容易に区別できる。特に、バトルエリア１１０ａの部分にテフロンコーティング又は潤滑剤含有処理を施した場合は、バトルエリア１１０ａを際立たせることができる。
【００３０】
また、床面１１０の４つの角には、図３に示したように、後述する床面固定部１２０を構成するコーナー部１２２が設けられている。コーナー部１２２には、長孔１２２ａが設けられている。床面１１０の４つの角にも、長孔１２２ａと同形の孔（図示せず）が設けられている。床面１１０の４つの角は、図３に示したように、コーナー部１２２によって挟み付けられるように固着されている。そして、長孔１２２ａを介して、後述するネジ１２４がネジ受け部１２６にネジ止めされることにより、床面１１０が着脱自在に固定される。
【００３１】
以上、床面１１０について説明した。なお、床面１１０の材質は、布（帆布）に限らず、ベーゴマ用床台１００の用途等に応じて、摩擦係数や硬度など適切なものを用いることができる。例えば、床面１１０として、紙やステンレスやアルミニウム等の加工の容易な金属や硬質プラスチックを採用することもできる。ただし、金属の場合は、床面１１０の形状を変えることが困難であり、硬質プラスチックの場合も、床面１１０の形状を変えることは比較的難しい。ベーゴマの対戦の大会ではなく、ベーゴマを長時間回転させる大会などを目的として、このような材質を用いることができる。
【００３２】
（床面固定部１２０）
床面固定部１２０は、床面１１０の外周を着脱自在に固定するためのものである。床面固定部１２０は、図１〜図３に示したように、床面１１０の四隅に設けられており、床面１１０の外周を４点（四隅）で着脱自在に固定する。床面固定部１２０は、図３に示したように、床面１１０の４つの角に設けられるコーナー部１２２とネジ１２４とネジ受け部１２６によって構成される。
【００３３】
上述したように、コーナー部１２２には長孔１２２ａが設けられている。床面１１０を長孔１２２ａの範囲内で移動させて、適切な位置でネジ１２４をネジ受け部１２６に固定することにより、床面１１０の張りの強さを調整することができる。このように、床面固定部１２０は、床面の張りの強さを調整するための張り調整部の機能を有する。なお、ネジ受け部１２６は、後述する柱状部材１３０を連結する機能も有している。この点については、さらに後述する。
【００３４】
このようにして、床面１１０の張りを調整することができ、窪みの深さを最適化することができる。このため、床面１１０の円形の周囲部に皺や弛みが発生するのを防止できる。また、深さの微調整も容易である。さらに、床面１１０の着脱も容易である。
【００３５】
また、床面１１０の性質を考慮すると、ネジ１２４をネジ受け部１２６に固定した際の長孔１２２ａの位置は、四隅で同じ位置にすることが好ましい。また、一度最適な位置が決まれば、毎回同じ位置で固定されることが好ましい。このために、長孔１２２ａに、ネジ１２４の位置を表す目盛りや目印などが付与されていてもよい。
【００３６】
以上、床面固定部１２０について説明した。なお、張り調整部の具体例としては、ホック止め用の突起や窪み、ネジ止め用のネジ溝やネジ山、又は床材を挟み込む挟み部など、床面１１０を床面固定部１２０に対して相対的に移動可能にする構成であれば、任意の構成を採用することができる。
【００３７】
（柱状部材１３０）
柱状部材１３０（１３０−１〜１３０−３）は、床面固定部１２０を支持するものであり、例えば、中空のパイプ状のものを採用することができる。柱状部材１３０は、図１に示したように、鉛直方向に延びる柱状部材１３０−１と、鉛直方向から約４５度傾いた方向にそれぞれ延びる柱状部材１３０−２、１３０−３とを含む。各床面固定部１２０は、鉛直方向に延びる１本の柱状部材１３０−１と、鉛直方向から４５度傾いた方向にそれぞれ１本ずつ延びる柱状部材１３０−２、１３０−３の、合計３本の柱状部材１３０によって支持されている。
【００３８】
柱状部材１３０−１、１３０−２、１３０−３の上部は、図３に示したように、床面固定部１２０のネジ受け部１２６で連結されている。なお、柱状部材１３０−１、１３０−２、１３０−３とネジ受け部１２６との連結方法、又は分離できる場合の分離方法は任意の方法でよいが、ベーゴマ用床台１００が折り畳まれるときに、障害とならないような連結方法又は分離方法が採用される。このために、柱状部材１３０は長さ方向に伸縮可能な構成であってもよい。
【００３９】
一方、柱状部材１３０−１、１３０−２、１３０−３の下部は、図１に示したように、接地部１３２で連結されている。ベーゴマ用床台１００は、接地部１３２が地面に接地することによって、自立することができる。なお、柱状部材１３０−１、１３０−２、１３０−３と接地部１３２との連結方法、又は分離できる場合の分離方法は任意の方法でよいが、ベーゴマ用床台１００が折り畳まれるときに、障害とならないような連結方法又は分離方法が採用される。このために、柱状部材１３０は長さ方向に伸縮可能な構成であってもよい。
【００４０】
鉛直方向から４５度傾いた方向に延びる柱状部材１３０−２、１３０−３は、後述するジョイント部１４０によって、折り畳み可能に連結されている。柱状部材１３０−２、１３０−３は、折り畳まれるときには、開き角が変わり、鉛直に近い状態になる。このようにして、ベーゴマ用床台１００は、水平方向の幅が狭くなるように折り畳まれる。
【００４１】
（ジョイント部１４０）
ジョイント部１４０は、柱状部材１３０間の開き角を変えることにより、柱状部材１３０の折り畳み及び床面１１０の地面からの高さを調整可能とするものである。ジョイント部１４０は、図１に示したように、２本の柱状部材１３０−２、１３０−３が交わる部分に設けられており、２本の柱状部材１３０−２、１３０−３は、ジョイント部１４０を中心に任意の開き角度に変更可能である。ジョイント部１４０を緩めることによって、柱状部材１３０−２、１３０−３間の角度を変えることができ、絞めることによって、柱状部材１３０−２、１３０−３間の角度を固定することができる。
【００４２】
以上のような構成によれば、床面１１０の地面からの高さを調整することができ、一つの床台の利用範囲が拡大する。なお、柱状部材１３０の開き角を変える他の方法としては、例えば、柱状部材１３０にジョイント部１４０の取り付け穴を複数設け、ジョイント部１４０の取り付け位置をずらすようにしてもよい。
【００４３】
以上、本実施形態にかかるベーゴマ用床台１００の構成について説明した。次に、ベーゴマ用床台１００の使用方法について説明する。
【００４４】
まず、ベーゴマ用床台１００を設置場所に運ぶ。この際は、ベーゴマ用床台１００の柱状部材１３０が折り畳まれていることで、総体積が小さく、持ち運びが楽である。
【００４５】
設置場所では、ジョイント部１４０を緩めて、柱状部材１３０を開く。そうすると、図１に示したように、柱状部材１３０によって、ベーゴマ用床台１００を自立させることができる。また、ジョイント部１４０によって高さ調整することもできる。この状態では、まだ床面１１０は取り付けられていないものとする。
【００４６】
次に、別途運んだ床面１１０を、床面固定部１２０に取り付ける。まず、床面１１０に、バネ１１４と錘１１６を取り付ける。そして、図３に示したように、床面１１０を長孔１２２ａ内で移動させ、ネジ１２４で固定する。このときに、上述した床面固定部１２０の張り調整部（張り調整機能）によって、床面１１０の張りを適切なものに調整する。
【００４７】
以上のようにして、ベーゴマ用床台１００が設置される。
【００４８】
（第１の実施形態の効果）
以上説明したように、本実施形態によれば、ベーゴマ用床台１００を使わないときには床面１１０を外すことができるとともに、床面１１０を固定する床面固定部１２０を支持する柱状部材１３０が折り畳み可能であることによって、コンパクトにすることができる。このようにして、容易に持ち運びおよび設置（セットアップ）できるとともに、収納場所も小さくすることが可能である。
【００４９】
また、従来のベーゴマ用床台は、床面は円形の開口部上の全周で布を折り曲げており外周付近に皺や部分的な弛みが残り、開口部外周囲からの床面中心部の深さも目測で設定される状態であった。このため、完全に同一条件の複数の床台を製作することは困難であった。床面の円形の周囲部に皺や弛みがあるとベーゴマの回転が妨げられる原因となり公正な競技が行えない。また、開口部外周囲からの床面の中心部の深さは床面の傾斜を決定し回転中のベーゴマの中央部への集合の度合いを決めるため、浅すぎるとベーゴマの移動が斜面の途中で止まってしまいぶつかり合いがなされず、深すぎるとすぐにぶつかり合ってしまうため、傾斜と深さを的確に設定するために微調整が必要で熟練を要するものであった。
【００５０】
この点、本実施形態のベーゴマ用床台１００によれば、床面固定部１２０に張り調整部（張り調整機能）を設けたため、床面１１０の張りの強さを調整することにより、床面１１０の窪みの深さを最適化することができる。このため、床面１１０の円形の周囲部に皺や弛みが発生するのを防止できる。また、深さの微調整も容易である。さらに、床面１１０の着脱も容易である。
【００５１】
また、床面１１０の裏面に、円形又は多角形の補強シート１１２を直径寸法又は対辺寸法が段階的に小さくなるように同心状に多層に貼り付けたため、バトルエリア１１０ａが明確になるとともに、床面１１０を強化することができる。
【００５２】
また、円形又は多角形の床面１１０の中央部に、バネ１１４や錘１１６などの下方への負荷を設けたことにより、床面１１０を下方へ引っ張って、床面１１０の中央部を緩いすり鉢状にへこませることができる。
【００５３】
また、床面１１０の材質を、ステンレス、アルミニウム等の加工の容易な金属又は硬質プラスチックで構成することにより、ベーゴマ用床台１００をベーゴマの回転持続時間を競うタイムトライアル用として用いることができ、その際に、ベーゴマの回転の接点（円錐部頂点）と床面１１０との摩擦抵抗に個体差がなく均一の条件となるようにすることができる。本実施形態では、床面１１０を交換することができるので、このような用い方が可能である。
【００５４】
また、ジョイント部１４０は、柱状部材１３０の開き角を変えることにより、床面１１０の地面からの高さを調整できるため、床面１１０の地面からの高さを調整することができ、一つのベーゴマ用床台１００の利用範囲が拡大する。
【００５５】
また、床面１１０の表面に、テフロンコーティング又は潤滑剤含有処理を施すことにより、ベーゴマが滑らかに移動でき、ベーゴマの長時間回転を持続できる。特に、バトルエリア１１０ａの部分にテフロンコーティング又は潤滑剤含有処理を施すと効果的である。
【００５６】
また、テフロンコーティング又は潤滑剤含有処理を施した部分の色を、その他の部分と異なる色とすることにより、テフロンコーティング又は潤滑剤含有処理を施した部分を容易に区別できる。特に、バトルエリア１１０ａの部分にテフロンコーティング又は潤滑剤含有処理を施した場合は、バトルエリア１１０ａを際立たせることができる。
【００５７】
以下に、上記第１の実施形態の応用例について説明する。以下の実施形態では、上記第１の実施形態と異なる点を中心に説明する。上記第１の実施形態と実質的に同様の点については、同一の符号を付与することにより、重複説明を省略する。
【００５８】
（第２の実施形態）
第２の実施形態にかかるベーゴマ用床台２００について、図４及び図５を参照しながら説明する。図４は、ジョイントハウジング２４０を備えたベーゴマ用床台２００の全体構成を示す図である。図５は、図４のベーゴマ用床台２００の側面図であり、（ａ）は全体構成を示す図であり、（ｂ）は部分拡大図である。
【００５９】
本実施形態のベーゴマ用床台２００は、図４及び図５に示したように、床面２１０と、床面固定部２２０と、柱状部材２３０と、ジョイントハウジング２４０と、開き角度補助部材２５０と、を主に備えて構成される。床面２１０及び床面固定部２２０については、上記第１の実施形態の床面１１０及び床面固定部１２０と実質的に同様であるので、重複説明を省略する。以下では、柱状部材２３０、ジョイントハウジング２４０及び開き角度補助部材２５０を中心に説明する。
【００６０】
（柱状部材２３０）
柱状部材２３０は、ジョイントハウジング２４０を介して上下２つに分割されている。すなわち、柱状部材２３０は、ジョイントハウジング２４０の上部に連結される４本の上部柱状部材２３２と、ジョイントハウジング２４０の下部に連結される４本の下部柱状部材２３４とを含む。上部柱状部材２３２は、上記第１の実施形態の柱状部材１３０の上部と同様に、床面固定部２２０を支持している。また、下部柱状部材２３４は、上記第１の実施形態の柱状部材１３０の下部と同様に、地面に接地している。
【００６１】
（ジョイントハウジング２４０）
ジョイントハウジング２４０は、図４及び図５に示したように、筐体状であり、柱状部材２３０が開閉角度を変更可能にジョイントハウジング２４０に連結されている。ジョイントハウジング２４０の上部に連結される４本の上部柱状部材２３２のうち隣り合う２本の上部柱状部材２３２を１組として、隣り合う２本の上部柱状部材２３２を同じ開き角度にするための開き角度補助部材２５０が設けられている。
【００６２】
床面２１０には、上記第１の実施形態と同様に下方への負荷（例えば、バネ１１４及び錘１１６と同様の構成）を設けることができる。このような下方への負荷も、ジョイントハウジング２４０の中に収容することができる。また、ジョイントハウジング２４０内に、下方への負荷の大きさを調整できる機構を設けてもよい。
【００６３】
（開き角度補助部材２５０）
開き角度補助部材２５０は、図５（ａ）に示したように、２つの長尺な平板２５２、２５４が連結部２５６によってＸ状に組み付けられたものである。２つの平板２５２、２５４の一端が上部柱状部材２３２にそれぞれ連結されている。平板２５２、２５４には長手方向に長孔２５２ａ、２５４ａが形成されており、平板２５２、２５４の開き角度が変わると、連結部２５６が長孔２５２ａ、２５４ａに沿って移動する。これにより、隣り合う２本の上部柱状部材２３２が同じ開き角度で開くことになる。
【００６４】
ジョイントハウジング２４０の下部に連結される４本の下部柱状部材２３４は、図５（ａ）に示したように、隣り合う２本の下部柱状部材２３４を１組として互いの開き角度が変更可能にジョイントハウジング２４０に連結されている。下部柱状部材２３４には、図５（ｂ）に示したように、ねじ穴２３４ａが設けられている。下部柱状部材２３４は、ねじ穴２３４ａに螺合するねじ２４２によってジョイントハウジング２４０にねじ止めされて固定される。
【００６５】
以上のようなジョイントハウジング２４０及び開き角度補助部材２５０により、ベーゴマ用床台２００の間隔Ｄと高さＨを調整することができる。
【００６６】
（第２の実施形態の効果）
本実施形態によれば、ベーゴマ用床台２００の設置のために操作する箇所を、ジョイントハウジング２４０にまとめられるので、操作性に優れ、外観もよい。
【００６７】
（第３の実施形態）
第３の実施形態にかかるベーゴマ用床台３００について、図６を参照しながら説明する。図６は、ポケット３６０を備えたベーゴマ用床台３００の全体構成を示す図である。
【００６８】
本実施形態のベーゴマ用床台３００は、図６に示したように、床面３１０と、床面固定部３２０と、柱状部材３３０と、ジョイント部３４０と、ポケット３６０と、を主に備えて構成される。床面３１０、床面固定部３２０、柱状部材３３０及びジョイント部３４０については、上記第１の実施形態の床面１１０、床面固定部１２０、柱状部材１３０及びジョイント部１４０と実質的に同様であるので、重複説明を省略する。以下では、ポケット３６０を中心に説明する。
【００６９】
（ポケット３６０）
床面３１０の周囲の全周にわたって、図６に示したように、ポケット３６０が設けられている。ベーゴマ競技においてベーゴマが対戦相手に弾き飛ばされて競技会場の床や地面に落ちると、ベーゴマの円錐部頂点が損傷してスムーズに回転しなくなるおそれがある。本実施形態のポケット３６０は、弾き飛ばされたベーゴマが落下するおそれを低減するものである。
【００７０】
（第３の実施形態の効果）
本実施形態によれば、床面３１０の周囲にポケット３６０を設けることによって、弾き飛ばされたベーゴマが落下するおそれを低減することができる。よって、競技会場の床や地面に落ちて、ベーゴマの円錐部頂点が損傷してスムーズに回転しなくなるということを防止することができる。
【００７１】
（第４の実施形態）
第４の実施形態にかかるベーゴマ用床台４００について、図７を参照しながら説明する。図７は、ベーゴマ用床台４００の構成を示す図である。
【００７２】
本実施形態のベーゴマ用床台４００は、図７に示したように、床面４１０と、床面固定部４２０と、柱状部材４３０と、ジョイント部４４０と、を主に備えて構成される。本実施形態は、上記第１の実施形態のベーゴマ用床台１００をシンプルにしたものである。床面４１０及び床面固定部４２０については、上記第１の実施形態の床面１１０及び床面固定部１２０と実質的に同様であるので、重複説明を省略する。以下では、柱状部材４３０及びジョイント部４４０を中心に説明する。
【００７３】
（柱状部材４３０）
柱状部材４３０は、床面固定部４２０を支持するものであり、例えば、中空のパイプ状のものを採用することができる。柱状部材４３０は、図７に示したように、２つのコ字状のフレーム４３２、４３４を含む。コ字状のフレーム４３２、４３４は、コ字状の２点の先端４３０ａがそれぞれ床面固定部４２０に結合されており、コ字状の一辺４３０ｂが地面に接地される。２つのコ字状のフレーム４３２、４３４は、ジョイント部４４０で折り畳み可能に連結されている。
【００７４】
なお、地面に接地される部分は、図７のようなコ字状の一辺４３０ｂのような形態でなくてもよく、例えば図１の接地部１３２のような構成であってもよい。この場合、柱状部材は、２つのコ字状のフレームではなく、４本の別部材の柱状の部材で構成される。
【００７５】
柱状部材４３０のその他の点、また、柱状部材４３０と他の構成要素との関係等については、上記第１の実施形態の柱状部材１３０と実質的に同様である。
【００７６】
（ジョイント部４４０）
ジョイント部４４０は、コ字状のフレーム４３２、４３４間の開き角を変えることにより、柱状部材４３０の折り畳み及び床面４１０の地面からの高さを調整可能とするものである。ジョイント部４４０は、図７に示したように、コ字状のフレーム４３２、４３４が交わる部分に設けられており、コ字状のフレーム４３２、４３４は、ジョイント部４４０を中心に任意の開き角度に変更可能である。ジョイント部４４０を緩めることによって、コ字状のフレーム４３２、４３４間の角度を変えることができ、絞めることによって、コ字状のフレーム４３２、４３４間の角度を固定することができる。以上のような構成によれば、床面４１０の地面からの高さを調整することができ、一つの床台の利用範囲が拡大する。
【００７７】
（第４の実施形態の効果）
以上説明したように、本実施形態によれば、上記第１の実施形態よりもシンプルな構成で、上記第１の実施形態と実質的に同様の効果を得ることができる。なお、第２及び第３の実施形態にも、本実施形態と同様の構成を採用することが可能である。
【００７８】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００７９】
例えば、上記実施形態では、床面の外周を４点で固定することとしたが、本発明はこの例に限定されず、床面は３点以上で固定されればよい。そして、柱状部材の数も、床面の数に対応して設けることができる。すなわち、床面の外周の数がｎ点であるなら、柱状部材もｎ本（ｎ本以上）設けることができる。
【００８０】
また、上記実施形態では、床面の形状を矩形としたが、本発明はこの例に限定されず、例えば、円形や、矩形以外の多角形などでもよい。
【００８１】
また、上記実施形態では、床面の張り調整部として、長孔を設けたコーナー部とネジとネジ受け部とからなる構成について説明したが、本発明はこの例に限定されない。床面が床面固定部に対して移動することにより、床面の張りの強さが調整される任意の構成、例えば、ホック止め用の突起や窪み、ネジ止め用のネジ溝やネジ山、又は床材を挟み込む挟み部など、任意の構成を採用することができる。また、このような床面の張り調整機能を設けずに、シンプルな構成とすることも可能である。
【００８２】
また、上記実施形態では、床面に３枚の補強シートを直径寸法又は対辺寸法が段階的に小さくなるように同心状に多層に貼り付けたが、本発明はこの例に限定されない。例えば、床面に補強シートを設けなかったり、補強シートの数を１〜２枚、又は４枚以上としたりしてもよい。また、直径寸法又は対辺寸法が同じでもよい。また、外周部が薄く中心部に近いほど徐々に厚くなるゴム製や軟質プラスチック製の皿状構造材を貼り付けてもよい。
【００８３】
また、上記実施形態では、床面の中央部にばねと錘を設けて、下方への負荷としたが、本発明はこの例に限定されない。例えば、床面の中央部を紐やゴムで引っ張るようにしてもよい。また、このような下方への負荷を設けずに、シンプルな構成としてもよい。
【００８４】
また、上記実施形態では、ジョイント部によって柱状部材の開き角を変えることにより、床面の地面からの高さを調整できるようにしたが、本発明はこの例に限定されない。例えば、柱状部材の長さが伸縮することによって床面の地面からの高さを調整できるようにしてもよい。また、床面の地面からの高さを調整できないシンプルな構成としてもよい。
【００８５】
また、上記実施形態では、床面の表面にテフロンコーティング又は潤滑剤含有処理を施し、その部分の色をその他の部分と異なる色とする例について説明したが、本発明はこれに限定されない。テフロンコーティング又は潤滑剤含有処理を施さなくてもよく、また、テフロンコーティング又は潤滑剤含有処理を施す場合でも、その部分の色をその他の部分と異なる色としなくてもよい。よりシンプルな構成とすることができる。
【００８６】
以上説明した各実施形態、変更例及び応用例の内容は、適宜組み合わせて実施できる。例えば、第２の実施形態のジョイントハウジングと、第３の実施形態のポケットを両方備えたベーゴマ用床台としてもよい。また、第２の実施形態や第３の実施形態のベーゴマ用床台の柱状部材の構成を、第４の実施形態のようにシンプルな構成としてもよい。
【符号の説明】
【００８７】
１００  ベーゴマ用床台
１１０  床面
１１０ａ  バトルエリア
１１２（１１２−１、１１２−２、１１２−３）  補強シート
１１４  バネ
１１６  錘
１２０  床面固定部
１２２  コーナー部
１２２ａ  長孔
１２４  ネジ
１２６  ネジ受け部
１３０（１３０−１、１３０−２、１３０−３）  柱状部材
１３０ａ  端部
１３０ｂ  下の辺
１３２  接地部
１４０  ジョイント部
２００  ベーゴマ用床台
２１０  床面
２２０  床面固定部
２３０  柱状部材
２３２  上部柱状部材
２３４  下部柱状部材
２３４ａ  ねじ穴
２４０  ジョイントハウジング
２４２  ねじ
２５０  開き角度補助部材
２５２、２５４  平板
２５２ａ、２５４ａ  長孔
２５６  連結部
３００  ベーゴマ用床台
３１０  床面
３２０  床面固定部
３３０  柱状部材
３４０  ジョイント部
３６０  ポケット
４００  ベーゴマ用床台
４１０  床面
４２０  床面固定部
４３０  柱状部材
４３０ａ  先端
４３０ｂ  コ字状の一辺
４３２、４３４  フレーム
４４０  ジョイント部
【図１】
2018000567.tif 000003
【図２】
2018000567.tif 000004
【図３】
2018000567.tif 000005
【図４】
2018000567.tif 000006
【図５】
2018000567.tif 000007
【図６】
2018000567.tif 000008
【図７】
2018000567.tif 000009